Podtech/llm-jp-corpus-v4-ja_patent huggingface dataset:
(57)【要約】【課題】木刀を用いた剣術の打ち込み稽古において速さのある複雑な跳ね返りと反発力を生じさせ剣術家に必要とされる能力を向上させる。【解決手段】緩衝棒木（１）と本体棒木（２）を連結することによって、速さのある複雑な跳ね返り運動を生じさせた。【選択図】図１
0003143965.tif 000002
【実用新案登録請求の範囲】
【請求項１】
（イ）  緩衝棒木（１）上部に吊り下げロープ連結孔を設け、下部に連結金具取り付け孔を設ける。
（ロ）  本体棒木（２）上部に連結金具取り付け孔を設ける。
（ハ）  連結金具（４）緩衝棒木（１）下部の連結金具取り付け孔と本体棒木（２）上部の連結金具取り付け孔に取り付け連結金具同士をカラビナ（５）で連結する。
以上の如く構成された、剣術稽古用吊るし木
【考案の詳細な説明】
【考案の詳細な説明】
この実用新案は、二本の丸木棒木を連結した吊り下げ式剣術稽古具に関するものである。従来、剣術の打ち込み稽古目的として一本の棒木を吊り下げるものはあったが、木刀を使用して打ち込みを実施した場合、棒木の反発運動が単純な上に緩慢であったので、満足の行く稽古実績を得るには不適当であった。
本案は、その欠点を除くために考案されたもので、これを図面について説明すれば、
（イ）  緩衝棒木（１）の上部側面に吊り下げロープを通す孔を設け、下部側面に連結金具取り付け孔を設ける。
（ロ）  本体棒木」（２）の上部側面に連結金具取り付け孔を設ける。
（ハ）  連結金具（４）緩衝棒木（１）下部の連結金具取り付け孔と本体棒木（２）上部の連結金具取り付け孔に取り付け連結金具同士をカラビナ（４）で連結する。
本案は以上のような構造であるから、これを使用せんとするときは、吊り下げ用ロープを天井の梁などに結びつけて吊り下げ、それを木刀を用いて様々な角度から打ち込んだり、突いたりすることが出来る。
本案使用時に於いて、本体棒木（２）の打撃や刺突撃を加えた場合、本体棒木（２）は緩衝棒木（１）の働きによって、速さのある複雑な跳ね返り運動を生じるという固有の特性を有している。全長が１２０ｃｍ超、重量１０ｋｇ超の本体棒木（２）の反発力は、筋力トレーニング目的の負荷として十分なものであり、また、方向性を予測できない本体棒木（２）の瞬発的な動きは、剣術家に必要とされる動体視力の強化、そしてフットワーク鍛錬および持久力の向上に、充分な効果を得ることが出来るものである。
【図１】
0003143965.tif 000003
【手続補正書】
【提出日】平成20年4月8日(2008.4.8)
【手続補正１】
【補正対象書類名】明細書
【補正対象項目名】全文
【補正方法】変更
【補正の内容】
【考案の詳細な説明】
【考案の詳細な説明】
この実用新案は、二本の丸木棒木を連結した吊り下げ式剣術稽古具に関するものである。
従来、剣術の打ち込み稽古目的として一本の棒木を吊り下げるものはあったが、木刀を使用して打ち込みを実施した場合、棒木の反発運動が単純な上に緩慢であったので、満足の行く稽古実績を得るには不適当であった。
本案は、その欠点を除くために考案されたもので、これを図面について説明すれば、（イ）  緩衝棒木（１）の上部側面に吊り下げロープを通す孔を設け、下部側面に連結金具取り付け孔を設ける。
（ロ）  本体棒木（２）  の上部側面に連結金具取り付け孔を設ける。
（ハ）  連結金具（４）緩衝棒木（１）下部の連結金具取り付け孔と本体棒木（２）上部の連結金具取り付け孔に取り付け連結金具同士をカラビナ（５）  で連結する。
本案は以上のような構造であるから、これを使用せんとするときは、吊り下げ用ロープを天井の梁などに結びつけ吊り下げ、それを、木刀を用いて様々な角度から打ち込んだり、突いたりすることが出来る。
本案使用時に於いて、本体棒木（２）  の打撃や刺突撃を加えた場合、本体棒木（２）  は緩衝棒木（１）  の働きによって、速さのある複雑な跳ね返り運動を生じるという固有の特性を有している。全長が１２０ｃｍ超、重量１０ｋｇ超の本体棒木（２）  の反発力は、筋力トレーニング目的の負荷として十分なものであり、また、方向性を予測できない本体棒木（２）  の瞬発的な動きは、剣術家に必要とされる動体視力の強化、そしてフットワーク鍛錬および持久力の向上に、充分な効果を得ることが出来るものである。
【図面の簡単な説明】
【図１】本案の使用状態を示す斜視図である。
【符号の説明】
（１）  緩衝棒木
（２）  本体棒木
（３）  吊り下げロープ
（４）  連結金具
（５）  カラビナ
Ａ    吊り下げロープ通し孔
Ｂ    連結金具取り付け孔
Ｃ    連結金具取り付け孔
(57)【要約】      （修正有）【課題】手拭、汗拭き用のハンカチと併用した食料品等の物品収納バックを提供する。【解決手段】吸水性のある袋状の布地を利用し、折り畳んだ場合は携帯の手拭き、汗拭として使用するが、その一辺の両端の内側に内蔵した取っ手を引きだして布地を広げる事で、食料品等の物品を収納するバックとしての機能を構成するハンカチ型併用物品収納バック。内部に収納する物品の重量による耐久性を維持することを補償するため、布地の三辺を二重に裁縫することもできる。【選択図】図３
0003143968.tif 000002
【実用新案登録請求の範囲】
【請求項１】
吸水性のある袋状の布地を利用し、折り畳んだ場合は携帯の手拭き、汗拭として使用するが、その一辺の両端の内側に内臓した取っ手を引きだして布地を広げる事で、食料品等の物品を収納するバックとしての機能を構成するハンカチ型併用物品収納バック。
【請求項２】
請求項１は、内部に収納する物品の重量による耐久性を維持することを補償するため、布地の三辺を二重に裁縫する。
【考案の詳細な説明】
【技術分野】
【０００１】  本考案は、手拭、汗拭き用の携帯ハンカチと食料品等の物品の収納を併用したものに関する。
【背景技術】
【０００２】  従来の食料品等の物品の収納バックは、ビニール地の袋に取っ手をつけ、折り畳む場合は、専用の袋、又はテープで固定し携帯を行えるバックである。
【考案の開示】
【考案が解決しようとする課題】
【０００３】  上記の如く、ビニール地のバックは、吸水性が無い事と耐久性を要求する事から厚い材質を使用する為、硬度が高く容易に折り畳む事が難しいため、ポケットへの収納は不便である。【０００４】  考案の目的は、材質から考慮しコンパクトに折り畳めため、衣類のポケットでも収納が容易な事と吸水性が高い事で手拭、汗拭きも兼用が可能な食料品等の物品を収納するバックを必要とした。
【課題を解決するための手段】
【０００５】  本考案では、吸水性のある袋状の布地を利用し、折り畳んだ場合は携帯の手拭き、汗拭として使用するが、その一辺の両端の内側に内臓した取っ手を引きだして布地を広げる事で、食料品等の物品を収納するバックとしての機能を構成したハンカチ型併用物品収納バック。【０００６】  また、内部に収納する物品の重量による耐久性を維持することを補償するため、布地の三辺を二重に裁縫する。
【考案の効果】
【０００７】  本考案のハンカチ型併用物品収納バックは、通常は手拭、汗拭きとして利用できるが、一旦食料品の物品を購入しようとした場合に購入店で提供する簡易的なビニール袋に食料品等の物品を収納し渡される。しかし簡易的なビニール袋の利用価値は低く、日常的に再利用が困難であり、また材質的に資源、環境を脅かす事となるため、再利用が可能なハンカチ型併用物品収納バックを利用する事で、簡易的なビニールの利用を抑制するという利点がある。
【考案を実施するための最良の形態】
【０００８】  以下、本考案を図面に基づき詳細に説明する【０００９】  図１は、１に表す２枚の布地を重ね合わせ２の様に３辺を二重に縫い合わせる。その際に図２の６の取っ手の両端も同様に縫い合わせておく。図２は、４の取っ手引き出し口から５の収納時の取っ手隠し蓋を開閉し６の取っ手を引き出し、又は収納できる構造を表す。図３は６の取っ手を引き出した場合、３の食料品等の物品投入口がつぼむ事を表した図である。
【図面の簡単な説明】
【００１０】
【図１】  本考案のハンカチ利用時の正面図である
【図２】  図１の袋内の取っ手収納の正面詳細図である
【図３】  本考案の取っ手を引き出した後の食料品等の物品収納バックの正面図である
【符号の説明】
【００１１】１  ２枚合わせた布地
２  二重の縫い目
３  食料品等の物品投入口
４  取っ手引き出し口
５  収納時の取っ手隠し蓋
６  取っ手
【図１】
0003143968.tif 000003
【図２】
0003143968.tif 000004
【図３】
0003143968.tif 000005
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
吸水性のある袋状の布地を利用し、折り畳んだ場合は携帯の手拭き、汗拭として使用するが、その一辺の両端の内側に内臓した取っ手を引きだして布地を広げる事で、食料品等の物品を収納するバッグとしての機能を構成するハンカチ型併用物品収納バッグ。
【請求項２】
請求項１は、内部に収納する物品の重量による耐久性を維持することを補償するため、布地の三辺を二重に裁縫する請求項１に記載のハンカチ型併用物品収納バッグ。
【手続補正２】
【補正対象書類名】明細書
【補正対象項目名】全文
【補正方法】変更
【補正の内容】
【考案の詳細な説明】
【背景技術】
【０００２】  従来の食料品等の物品の収納バッグは、ビニール地の袋に取っ手をつけ、折り畳む場合は、専用の袋、又はテープで固定し携帯を行えるバッグである。
【考案の開示】
【考案が解決しようとする課題】
【０００３】  上記の如く、ビニール地のバッグは、吸水性が無い事と耐久性を要求する事から厚い材質を使用する為、硬度が高く容易に折り畳む事が難しいため、ポケットへの収納は不便である。【０００４】  考案の目的は、材質から考慮しコンパクトに折り畳めため、衣類のポケットでも収納が容易な事と吸水性が高い事で手拭、汗拭きも兼用が可能な食料品等の物品を収納するバッグを必要とした。
【課題を解決するための手段】
【０００５】  本考案では、吸水性のある袋状の布地を利用し、折り畳んだ場合は携帯の手拭き、汗拭として使用するが、その一辺の両端の内側に内臓した取っ手を引きだして布地を広げる事で、食料品等の物品を収納するバッグとしての機能を構成したハンカチ型併用物品収納バッグ。
【考案の効果】
【０００７】  本考案のハンカチ型併用物品収納バッグは、通常は手拭、汗拭きとして利用できるが、一旦食料品の物品を購入しようとした場合に購入店で提供する簡易的なビニール袋に食料品等の物品を収納し渡される。しかし簡易的なビニール袋の利用価値は低く、日常的に再利用が困難であり、また材質的に資源、環境を脅かす事となるため、再利用が可能なハンカチ型併用物品収納バッグを利用する事で、簡易的なビニールの利用を抑制するという利点がある。
【図面の簡単な説明】
【００１０】
【図３】本考案の取っ手を引き出した後の食料品等の物品収納バッグの正面図である
(57)【要約】      （修正有）【課題】障子組子製作の省力化を行い、かつ変更可能な種々のデザインを作ることが出来る着脱式曲げ組子を提供する。【解決手段】薄い木材、曲げ合板、プラスチックなどの適宜素材で出来た曲げ組子５ａの一端を、４格子組子の一つの内かどに当て、曲げながら他端を対角の内かどに当て手を離すと、元に戻ろうとする力で、この組子をはめ込むことが出来る。再度組子を曲げ、引くことにより、取り外すことが出来る。ほぞ加工や接着剤は使用しないので加工手間が少なく、様々なデザインの組子配置を作ることが出来る。【選択図】図１
0003143986.tif 000002
【実用新案登録請求の範囲】
【請求項１】
障子本体の縦框、上框、下框、及び組子の内側に、自在に曲がりまた元に戻る材質の組子をはめ込み、これが自ら元に戻ろうとする力を障子本体に伝え、その反力で固定される、着脱可能としたところを特徴とする着脱式曲げ組子。
【考案の詳細な説明】
【技術分野】
【０００１】    本考案は、曲げることによって生じた元に戻る力を利用して、障子にはめ込むための組子に関するものである。
【背景技術】
【０００２】  障子に直線、曲線の組子を取付けるには、縦框、上下框、他の組子にほぞ加工、相欠き加工、接着剤、またはこれらを組み合わせ固定する方法で行っている。そのため、組子配置デザインは、製作後変更できない。
【考案の開示】
【考案が解決しようとする課題】
【０００３】  ほぞ加工、相欠き加工は、手作業で行う場合は時間がかかる。これを機械で加工する場合は、設備費がかかる。さらに、組子の数が多い場合や、曲線組子を取付ける場合は、すみ出し、角度設定などにより時間的労働負担が増える。また障子に組子を固定取付けしてしまうと、その配置は変更不可能である。
【課題を解決するための手段】
【０００４】  本考案は、障子本体の縦框、上下框、及び、組子の内側に、自在に曲がりまた元の形状に戻る材質の組子を、曲げてはめ込み、これが元に戻ろうとする力を障子本体に伝え、その反力で固定されることにより、問題点を解決している。さらに、着脱可能であるので、任意の時に組子の配置デザインを変更可能である。
【考案の効果】
【０００５】  曲げ組子をはめ込むのに必要な、ほぞ加工などが不要であり、直線による格子組子だけの障子に取付けることが出来る。さらに既存の障子にも、曲げ組子を取付けることが出来る。また着脱式であり、さらに、長さの異なる曲げ組子を組み合わせることにより、様々な組子デザインの障子に変更可能である。
【考案の実施するための最良の形態】
【０００６】はめ込もうとする障子格子組子の、一つのマスの対角線より長い長さに、曲げ組子を切る。曲げ組子の一端を、マスのひとつの内かどに当て、曲げ組子を曲げながら、他端を対角の内かどに当てる。この時、曲げ組子が元に戻ろうとする力が自らを支えることが出来る長さになっていることにより、はめ込み可能となる。同じ大きさの、マス格子組子が連続する場合は、同じ長さの曲げ組子を使うことにより、連続模様の曲げ組子配置が出来る。これよりさらに長い曲げ組子を、マスの隣同士の内かどに当てると、半弧形状を描くことが出来る。また、マス格子の一辺より長い曲げ組子一本または数本を使用すると、その反力で支えることが出来る重さの、任意の装飾品をはめ込むことが出来る。この曲げ組子を使用して作るデザインは、障子本体が設置された部屋空間の使用目的、使用者によって任意の時に変更可能である。
【実施例】
【０００７】  以下添付図面に従って実施例を説明する。１は障子本体の縦框、２は上框、３は下框、４は格子組子、５ａは薄い木材、曲げ合板、プラスチックなど適宜素材で出来た曲げ組子で、この一端を、任意の４格子組子の一つの内かどに当て、曲げながら対角の内かどに当て手を離すと、元に戻ろうとする力で、はめ込むことが出来る。再度曲げ組子を曲げ、引くことにより、取り外すことが出来る。６は５ａより長い曲げ組子で、両端を隣同士の内かどに当てて、はめ込んだ状態を示す。７は格子組子の一辺より長い組子２本で装飾品８をはさみ込んだ状態を示す。【０００８】  ５ａをはずして、５ｂの配置や、５ｃの配置などにすることにより、複数の曲げ組子によるデザインを変更することが可能である。
【図面の簡単な説明】
【０００９】
【図１】本考案の着脱式曲げ組子を取付けた障子の、実施例を示す正面図である。
【図２】着脱式曲げ組子を取付けた状態の、障子斜視断面図である。
【符号の説明】
【００１０】１  障子縦框
２  障子上框
３  障子下框
４  障子組子
５  曲げ組子
６  曲げ組子
７  曲げ組子
８  任意の装飾品
９  障子紙
【図１】
0003143986.tif 000003
【図２】
0003143986.tif 000004
(57)【要約】      （修正有）【課題】巻き取りパイプ内に滞留した雨水を効率よく排出してパイプにかかる負担をなくし、錆の発生などを未然に防止する巻き取り装置を提供する。【解決手段】出力軸に巻き取りパイプの貫通孔と合致し且つ締め付けネジを挿通する挿孔を穿つとともに、挿孔に相対して除水孔を出力軸に形成する。出力軸の内側段部に、除水孔の位置まで延び且つ巻き取りパイプの先端部が当接する係止部を突設し、挿孔と貫通孔を通る締め付けネジを緊締して固定された巻き取りパイプ内の滞留水を前記除水孔から外部へと排出する。【選択図】図１
0003143983.tif 000002
【実用新案登録請求の範囲】
【請求項１】
支持棒上を昇降する伝達具より突出した出力軸に巻き取りパイプを嵌合し、巻き取りパイプにシートを掛装し、前記出力軸に巻き取りパイプの貫通孔と合致し且つ締め付けネジを挿通する挿孔を穿つとともに、挿孔に相対して除水孔を出力軸に形成し、出力軸の内側段部に、前記除水孔の位置まで延び且つ巻き取りパイプの先端部が当接する係止部を突設し、挿孔と貫通孔を通る締め付けネジを緊締して固定された巻き取りパイプ内の滞留水が前記除水孔から外部へと排出するものであることを特徴とする除水策を施した巻き取り装置。
【考案の詳細な説明】
【技術分野】
【０００１】  本考案は、温室における除水策を施した巻き取り装置に関する。
【背景技術】
【０００２】  温室シートを巻き取り・巻き戻す巻き取りパイプは、温室の外部に設置した巻き取り装置に取り付けたハンドルを操作して駆動する方法が一般的である（例えば特許文献１参照）。
【特許文献１】意匠登録第１３１０８４５号公報（使用状態を示す参考図）
【考案の開示】
【考案が解決しようとする課題】
【０００３】  巻き取り装置は温室の妻側に設置した支持棒に伝達具を昇降自在に取り付け、入力側にあるハンドルをつかんで操作すると伝達具内の伝動機構を介して出力側にある巻き取りパイプが回動することによりシートが巻き取り巻き戻しされる構成を採る。巻き取りパイプは伝達具の出力軸に係合し、出力軸とはネジ止めされているため雨水などは簡単にパイプ内部に浸入しない筈であるが、長期使用中には出力軸との係合個所や不測に生じた傷痕などから入った水分が滞留することがあり、このためパイプ全体が重くなってシートの巻き取り巻き戻しがスムースになされなかったり、湿気によりパイプの内部に錆を発生するに至るなどの問題があった。本考案は簡単な構造によって、パイプ内部に浸入した雨水などの水分を除去することができる除水策を施した巻き取り装置を提供することを目的とするものである。
【課題を解決するための手段】
【０００４】  すなわち本考案は、支持棒上を昇降する伝達具より突出した出力軸に巻き取りパイプを嵌合し、巻き取りパイプにシートを掛装し、前記出力軸に巻き取りパイプの貫通孔と合致し且つ締め付けネジを挿通する挿孔を穿つとともに、挿孔に相対して除水孔を出力軸に形成し、出力軸の内側段部に、前記除水孔の位置まで突出し且つ巻き取りパイプの先端部が当接する係止部を突設し、挿孔と貫通孔を通る締め付けネジを緊締して固定された巻き取りパイプ内の滞留水が前記除水孔から外部へと排出するものであることを特徴としている。
【考案の効果】
【０００５】  出力軸内に位置する巻き取りパイプの先端部は係止部に当接するため出力軸の段部との間に隙間が生じ、このため巻き取りパイプにある滞留水はパイプ先端より出て出力軸の除水孔より排出される。故に巻き取りパイプ内の雨水などの水分は滞ることがないためパイプ内に錆が発生したり腐食するなどのおそれはなく、また滞留水によってパイプ重量が増すこともないため巻き取り装置には余分な負荷がかゝらず、したがってシートを張設した巻き取りパイプの巻き取り巻き戻し作業をスムースに行うことができる。
【考案を実施するための最良の形態】
【０００６】  図面に基づき本考案の実施形態を説明すると、図１において１０は出力軸で、伝達具２０に回動自在に取り付けられ、出力軸１０と反対側には入力軸３０が取り付けられている。そして入力軸３０にはハンドル３１が接合され、ハンドル３１を操作すると入力軸３０が回動し、伝達具２０を介して出力軸１０が回動する。伝達具２０は支持棒４０上を昇降し、支持棒４０は温室（不図示）の妻側に立設されるものであり、前記出力軸１０に巻き取りパイプ５０が嵌合し、巻き取りパイプ５０に透明のシート６０が掛装される。なお伝達具２０の伝動機構などは周知機構を採用でき、したがって詳細については説明を省略する。【０００７】  図２は出力軸１０、巻き取りパイプ５０を示すもので、出力軸１０には挿孔１１が上下に形成されていて巻き取りパイプ５０の上下の貫通孔５１と合致し、締め付けネジ７０が挿孔１１、貫通孔５１に挿通される。【０００８】  出力軸１０には、挿孔１１と相対する個所の上下に除水孔１２が形成されている。除水孔１２は前記伝達具２０寄りに形成され、径の大きさは挿孔１１と同程度でよい。出力軸１０の細径部１３は伝達具２０に挿入固定され、取り付け後は伝達具２０がカバーとなるので外見されない。細径部１３が存在するため出力軸１０の内側は当然ながら段部１４が形成され、この段部１４に巻き取りパイプ５０の先端部５０ａが当接する係止部１５が除水孔１２とは齟齬する位置に突設されている。【０００９】  図３は出力軸１０に巻き取りパイプ５０を嵌合した状態を示している。出力軸１０に嵌合された巻き取りパイプ５０は先端部５０ａが本来段部１４に直接するところであるが、係止部１５が存在するため係止部１２がストッパーとなって段部１４との間に隙間１５が生ずることとなる。係止部１２は除水孔１２とは齟齬する位置に突設されているため巻き取りパイプ５０に浸入した雨水などは出力軸１０内に滞留することはなく、除水孔１２から外部へと排出される。締め付けネジ７０を挿孔１１、貫通孔５１に挿通し、出力軸１０の外側に突出した個所にナット７０ａがあるので緊締すれば巻き取りパイプ５０は出力軸１０に確固として固定される。【００１０】  すなわち巻き取りパイプ５０は、出力軸１０に連動して巻き取り巻き戻しされるものであるから、その都度除水孔１２も回動して巻き取りパイプ５０から排出された滞留水が出力軸１０の回転による遠心力で除水孔１２から飛散させられる結果、巻き取りパイプ５０の水分は除去され、同時に出力軸１０にも滞ることはないという一石二鳥的機能を発揮できる。
【図面の簡単な説明】
【００１１】
【図１】本考案の取り付け状態を示す概略図である。
【図２】出力軸と巻きとりパイプの外観図である。
【図３】本案要部の断面図である。
【符号の説明】
【００１２】１０  出力軸      １１  挿孔        １２  除水孔      １４  段部
１５  係止部      ２０  伝達具      ４０  支持棒      ５０  巻き取りパイプ
５１  貫通孔      ６０  シート      ７０  締め付けネジ
【図１】
0003143983.tif 000003
【図２】
0003143983.tif 000004
【図３】
0003143983.tif 000005
(57)【要約】      （修正有）【課題】水を共存させる場合、同時に併存せる物体に脱臭作用及び抗菌作用を賦与するシートを提供する。【解決手段】光触媒材として酸化チタンの中でもアナターゼ型結晶構造をもつものが水活性化効果を発揮する。水との接触面積を増すため酸化チタンは粉体を使用する。水中特に洗濯機の中においても十分使用に耐えるために酸化チタン粉体を塩化ビニールなどの可撓性を有する材料に練込み、これを厚味０．５〜２ミリの厚味のシート状に成型する。酸化チタンの量は５〜１５％が良く５％以下では水を活性化する効果が弱く、１５％以上になると塩ビの可撓性がなくなり割れ易くなる。【選択図】図３
0003143984.tif 000002
【実用新案登録請求の範囲】
【請求項１】
光触媒性能を有する酸化チタン粉体を５〜２０重量％含有する可撓性のある厚味０．５〜２．５ミリメートルの合成樹脂シート
【考案の詳細な説明】
【技術分野】
【０００１】本考案は水と共存させることにより、脱臭作用および抗菌作用を賦与するシートに関するものである
【背景技術】
【０００２】光触媒材の作用として水が存在する場合に水と作用して活性酸素を発生し水中の有機物質の分解や水に超親水作用を与へるなど水を活性化する作用がある。
【考案の開示】
【０００３】光触媒材としてアナターゼ型結晶構造を有する酸化チタン粉体を使用する。
【考案が解決しようとする課題】
【０００４】光触媒材を十分に水分子と接触させしかも水流の中でも存在させる必要がある。
【課題を解決するための手段】
【０００５】光触媒材として酸化チタンの中でもアナターゼ型結晶構造をもつものが水活性化効果を発揮する。水との接触面積を増すため酸化チタンは粉体を使用する。水中特に洗濯機の中においても十分使用に耐えるために酸化チタン粉体を塩化ビニールなどの可撓性を有する材料に練込み、これを厚味０．５〜２ミリの厚味のシート状に成型する。酸化チタンの量は５〜１５％が良く５％以下では水を活性化する効果が弱く、１５％以上になると塩ビの可撓性がなくなり割れ易くなる。
【考案の効果】
【０００６】本考案によるシートをサイズ１５×２５ｃｍに切断し浴槽に沈めて使用することにより風呂場の防臭効果が得られる。このシートを洗濯機に入れ洗濯中使用を続ければ、この洗濯物は乾燥中に洗濯臭を感じない。さらにこの洗濯物
0003143984.tif 000003
【考案を実施するための最良の形態】
【０００７】アナターゼ構造を有する酸化チタン粉体を１０％軟質塩化ビニール樹脂に練込み圧延してなる厚味１．５ミリのシートを切断したもの
【実施例】
【０００８】本光触媒を含有する厚味１．５ミリ，サイズ１５×２５ｃｍのシートを容量約５０リットルの家庭用洗濯機に最初から入れ、下着類８枚を入れて通常の洗濯を行い取出した木綿シャツ２枚を天日乾燥後、日本食品分析センターで黄色ブドー状球菌に対する抗菌効果を測定した結果、最初約５万ケ付与した菌は３０℃２４時間後には１０ヶ以下に減少している。
【図面の簡単な説明】
【０００９】
【図１】平面図
【図２】立面図
【図３】断面図
【符号の説明】
【００１０】１  軟質塩ビ
２  酸化チタン粉
【図１】
0003143984.tif 000004
【図２】
0003143984.tif 000005
【図３】
0003143984.tif 000006
(57)【要約】      （修正有）【課題】使用目的において、様々な組み合わせが可能にすることを特微とした、多目的型フルカラーＬＥＤ看板を提供する。【解決手段】２００ｍｍ×２００ｍｍの面積と１６ドット×１６ドットのＬＥＤからなる、フルカラーＬＥＤ基板をパーテーションフレームに固定し用いて、複数枚の組み合わせが可能になる。パーテーションの組み合わせにより、既存の標識・看板５が組みこまれ、多目的の表示ができる。専用コントローラー４を設け、遠隔操作機能を持たせることにより、パソコンから情報の発信や、文字の加工、修正をすることが、離れた事務所からできる。【選択図】図５
0003143225.tif 000002
【実用新案登録請求の範囲】
【請求項１】
看板を構成する骨組みを自由に設計できるパーテーションとフルカラーＬＥＤ基板が、使用目的によって様々な組み合わせが可能で、既存製品にも流用ができることと、リモート・コントローラーで遠隔操作ができる。また太陽光利用の蓄電池を電源とすることができることを特微とする多目的型フルカラーＬＥＤ看板である。
【考案の詳細な説明】
【技術分野】
【０００１】この考案は、工事現場や建設現場など義務づけされている保安用標識や、看板などに関するものである。
【背景技術】
【０００２】従来より、静止画面型の各種看板、電光標識、道路標識などはあった。
【考案の開示】
【考案が解決しようとする課題】
【０００３】これは次のような欠点があった。
（イ）目的に応じ、それぞれの看板・標識をつくり、設置するため、現場が乱雑になり、表記が見づらかったり、作業がやりづらかった。
（ロ）工事・建設事業所では、目的に応じたそれぞれの看板・標識を数多く購入、管理をするため経費がかかり過ぎた。
（ハ）通常の電源を使用する看板・標識の場合、電源がなければ使用できなかった。
本考案は、以上の欠点を解決するために考案されたものである。
【課題を解決するための手段】
【０００４】各色の単色ＬＥＤを組み合わせたフルカラーＬＥＤ基板（１）を設け、使用目的において、様々な組み合わせが可能にすることを特微とした、多目的型フルカラーＬＥＤ看板である。
【考案の効果】
【０００５】多目的型フルカラーＬＥＤ基板とパーテーション（３）があれば、様々な情報を動画面で放映が可能になる。また既存の標識や看板（５）との組み合わせにより、数多くの看板や標識が不要になる。
【考案を実施するための最良の形態】
【０００６】  以下、本考案を実施するための最良の形態を説明する。
（イ）２００ｍｍ×２００ｍｍの面積と１６ドット×１６ドットのＬＥＤからなる、フルカラーＬＥＤ基板をパーテーションフレーム（２）に固定し用いて、複数枚の組み合わせが可能になる。
（ロ）パーテーションの組み合わせにより、既存の標識・看板（５）が組みこまれ、多目的の表示ができる。
（ハ）専用コントローラー（４）を設け、遠隔操作機能を持たせることにより、パソコンから情報の発信や、文字の加工、修正をすることが、離れた事務所からできる。
【図面の簡単な説明】
【０００７】
【図１】本考案フルカラーＬＥＤ基板の正面図
【図２】本考案パーテーションを組み合わせ時の正面図
【図３】本考案パーテーションフレームの底面図
【図４】本考案パーテーションフレームの正面図
【図５】本考案フルカラーＬＥＤ基板、パーテーションと既存製品の組み合わせ時の正面図
【符号の説明】
【０００８】１  フルカラーＬＥＤ基板
２  パーテーションフレーム
３  パーテーション
４  専用コントローラー
５  既存の標識・看板
６  ＬＥＤ
【図１】
0003143225.tif 000003
【図２】
0003143225.tif 000004
【図３】
0003143225.tif 000005
【図４】
0003143225.tif 000006
【図５】
0003143225.tif 000007
【手続補正書】
【提出日】平成20年1月22日(2008.1.22)
【手続補正１】
【補正対象書類名】実用新案登録請求の範囲
【補正対象項目名】全文
【補正方法】変更
【補正の内容】
【実用新案登録請求の範囲】
【請求項１】
看板を構成する骨組みを自由に設計できるパーテーションとフルカラーＬＥＤ基板が、使用目的によって様々な組み合わせが可能で、既存製品にも流用ができることと、リモート・コントローラーで遠隔操作ができ、太陽光利用の蓄電池を電源とすることができることを特徴とする多目的型フルカラーＬＥＤ看板。
【手続補正書】
【提出日】平成20年4月8日(2008.4.8)
【手続補正１】
【補正対象書類名】実用新案登録請求の範囲
【補正対象項目名】全文
【補正方法】変更
【補正の内容】
【実用新案登録請求の範囲】
【請求項１】
看板を構成する方形状の骨組みは、パーテーションとフルカラーＬＥＤ基板であって、骨組の内側にパーテーションフレームを設け、該パーテーションフレームにＬＥＤ基板を着脱自在に装置可能とする多目的型フルカラーＬＥＤ看板。
(57)【要約】      （修正有）【課題】飲食業などの業務用まな板において、鉋かけ等の補修を不要とし、洗う作業も容易にした取付け台付き業務用まな板を提供する。【解決手段】まな板を薄く小型にすることにより、一枚の単価を下げ、取替え易いものにする。まな板に複数個の貫通穴を開け、まな板取付け台に左記貫通穴より小さい凸状部を設けて、貫通穴に凸状部を挿入してまな板を固定或いは取外し・取替えを簡単にする。更にまな板取付け台には屑などを収納する引き出しを設ける。【選択図】図１
0003143229.tif 000002
【実用新案登録請求の範囲】
【請求項１】
業務用まな板およびそのまな板取付け台において
表面に貫通する複数個の穴を設けた業務用まな板と
上部に前記まな板貫通穴よりサイズの小さい凸状部を複数個設置したまな板取付け台とからなり
まな板貫通穴にまな板取付け台上部の凸状部を挿入してまな板をまな板取付け台に固定しあるいは取り外し可能としたことを特徴とする業務用まな板およびそのまな板取付け台
【請求項２】
前記まな板取付け台に収納引き出しを設けることを特徴とする請求項１記載の業務用まな板取付け台
【請求項３】
前記まな板の厚さを１５〜２５ｍｍ、幅を２５〜３５ｃｍ、長さを８０〜１００ｃｍとすることを特徴とする請求項１、２記載の業務用まな板およびそのまな板取付け台
【請求項４】
前記まな板を２枚縦に並べて全体の幅を５０〜７０ｃｍ、長さを８０〜１００ｃｍ或いは４枚縦・横に並べて全体の幅を５０〜７０ｃｍ、長さを１６０〜２００ｃｍとすることを特徴とする請求項１〜３記載の業務用まな板およびそのまな板取付け台
【考案の詳細な説明】
【技術分野】
【０００１】寿司屋などの業務に用いられるまな板およびそのまた板を取付ける台に関する。
【背景技術】
【０００２】これまでの業務用まな板は厚さが約１００ｍｍ、幅が約６０ｃｍ、長さが約１８０ｃｍと大きくかつ重たいものであった。
【考案の開示】
【考案が解決しようとする課題】
【０００３】業務用まな板は、長年の使用でその表面にへこみが出来、食材を切ったりする加工時に支障が出るため、このへこみの深さを解消するまで時々鉋をかけてまな板を平らな面にする必要がある。この鉋かけは広い面積を均一に行わねばならないため膨大な費用、時間を要する。【０００４】また衛生面から、度々まな板を洗う作業を行う必要があり、重たいまな板をまな板取付け台から取外すには、力の弱い人では大変な苦労を要する。【０００５】更に食材加工等で多く出る切り屑の処理が大変で料理に時間を取る問題点がある。
【課題を解決するための手段】
【０００５】以上のような問題点を考案者は次のような手段で解決した。【０００６】即ち、請求項１の考案は、
業務用まな板およびそのまな板取付け台において
表面に貫通する複数個の穴を設けた業務用まな板と
上部に前記まな板貫通穴よりサイズの小さい凸状部を複数個設置したまな板取付け台とからなり
まな板貫通穴にまな板取付け台上部の凸状部を挿入してまな板をまな板取付け台に固定しあるいは取り外し可能としたことを特徴とするものである。これによって、まな板を洗う際、まな板取付け台から容易に外したり、取付けることが可能となる。【０００７】請求項２の考案は、請求項１のまた板取付け台において、
前記まな板取付け台に収納引き出しを設けることを特徴とするものである。これにより料理屑を迅速に処理できる。【０００８】請求項３の考案は、請求項１記載のまな板において、
前記まな板の厚さを１５〜２５ｍｍ、幅を２５〜３５ｃｍ、長さを８０〜１００ｃｍとすることを特徴とするものである。これにより従来に比べ大幅に軽量化、小型化が達成され、取り外し、取り付けが容易になる。更に鉋がけは行わずに新品のまな板と交換できるため費用が大幅に削減される。【０００９】請求項４の考案は、請求項１〜３記載のまな板およびそのまな板取付け台において、前記まな板を２枚縦に並べて全体の幅を５０〜７０ｃｍ、長さを８０〜１００ｃｍ或いは４枚縦・横に並べて全体の幅を５０〜７０ｃｍ、長さを１６０〜２００ｃｍとすることを特徴とするものである。これにより、必要に応じてより広いまな板への対応が可能となる。
【考案の効果】
【００１０】上記したようにまな板サイズを小型化することにより従来に比べ価格が安くなり、取替えが安価になり、鉋がけ等の面倒な作業が不要となる。またまな板の取外しが容易となり、まな板を洗う作業が簡単になる。更にまな板取付け台の引き出しにより料理屑の処理の能率が上がる。
【考案を実施するための最良の形態】
【００１１】本考案のまな板およびそのまな板取付け台の一例として本考案のまな板を２枚縦に並べて全体の幅を５０〜７０ｃｍ、長さを８０〜１００ｃｍとし、図１はその正面図、図２はその平面図を示す。図１、２において、縦に並べられた２枚のまな板１には夫々４隅に貫通穴２が通されている。これに対応する位置に、まな板取付け台３の上部において貫通穴２より小さい凸状部４を設け、これを穴２に挿入してまな板をまな板取付け台に固定しあるいは取り外しを可能とした。なおまな板取付け台には２個の収納引き出し５を設ける。【００１２】なお本考案のまな板の厚さは軽量化、価格の点より上限厚さは２５ｍｍとし、また薄い板ほど反りが発生し易くなるため下限厚さは１５ｍｍとした。また、まな板の幅並びに長さは従来品より軽量化、小型化するとの観点より約半分としこれらの上限と下限はコストと使い安さのバランスより決定した。
【図面の簡単な説明】
【００１３】
【図１】まな板およびそのまな板取付け台の正面図である。
【図２】まな板およびそのまな板取付け台の平面図である。
【符号の説明】
【００１４】１  まな板
２  貫通穴
３  まな板取付け台
４  凸状部
５  収納引き出し
【図１】
0003143229.tif 000003
【図２】
0003143229.tif 000004
【手続補正書】
【提出日】平成20年4月13日(2008.4.13)
【手続補正１】
【補正対象書類名】実用新案登録請求の範囲
【補正対象項目名】全文
【補正方法】変更
【補正の内容】
【実用新案登録請求の範囲】
【請求項１】
取付け台付き業務用まな板において
表面に貫通する複数個の穴を設けた業務用まな板と
上部に前記まな板貫通穴よりサイズの小さい凸状部を複数個設置したまな板取付け台とからなり
まな板貫通穴にまな板取付け台上部の凸状部を挿入してまな板をまな板取付け台に固定しあるいは取り外し可能としたことを特徴とする取付け台付き業務用まな板
【請求項２】
前記まな板取付け台に収納引き出しを設けることを特徴とする請求項１記載の取付け台付き業務用まな板
【請求項３】
前記まな板の厚さを１５〜２５ｍｍ、幅を２５〜３５ｃｍ、長さを８０〜１００ｃｍとすることを特徴とする請求項１、２記載の取付け台付き業務用まな板
【請求項４】
前記まな板を２枚縦に並べて全体の幅を５０〜７０ｃｍ、長さを８０〜１００ｃｍ或いは４枚縦・横に並べて全体の幅を５０〜７０ｃｍ、長さを１６０〜２００ｃｍとすることを特徴とする請求項１〜３記載の取付け台付き業務用まな板
(57)【要約】      （修正有）【課題】手が不自由で手指に力を入れる事の出来ない人達も、安定した状態で手の中に収める事が出来る飲食用スプーンを提供する。【解決手段】握るところをスプーン部１の材質と違う材質で制作した取手部２の対向する二側面を波形に、直行する他の側面を直線上でかつ、厚みのあるものに形成する。【選択図】図１
0003143230.tif 000002
【実用新案登録請求の範囲】
【請求項１】
飲食用スプーンに、スプーン部の材質と違う材質を用いて、握るところを波形の取手を付ける。側面視は直線状をなす。
【考案の詳細な説明】
【考案の詳細な説明】
この考案は、飲食用スプーンに、握るところをスプーン部の材質と違う材質を付けた取手を波形の取手にしたものである。  特に、小児用のスプーンや携帯用のスプーン等は、握るところに程良い厚みがあり握りやすくなっていますが、この箇所を波形にすれば更に固定され、手の中で安定された状態でスプーンの取り扱いが楽になる。  従来の取手付きの飲食用スプーンは握力の弱い高齢者や小児、又、傷病や病気で利き手が使えず、手が不自由で手指に力を入れ事が出来ない人達は使用時に手からスプーンが滑り落ちる事が多く、不安定な状態で食事をしなければならない。その為食事を中断しなくてはならなかったり、スプーンを握る為だけの神経が注がれるので、食事をゆっくりする事が出来ず精神的にイライラさせられその結果、食欲が減退し、楽しい食事の時間を過ごす事が困難になる。  本案はこの欠点を除く為に考案されたものでこれを図面にて説明すれば、飲食用スプーンの握るところを第１図の▲２▼のように波形の取手にする。第２図の縦断面の▲２▼は、直線状をなす。▲２▼は握りやすくする為に、握りやすい厚みのあるものにする。  このようにすれば  手先から飲食用スプーンが滑りにくく、力を入れなくても手指で支えるような具合で安定し、安心して飲食時に使用できる。食事も中断することもなく、快適に食事を楽しむ事が出来る。
【図面の簡単な説明】【図１】は、本来の平面図
【図２】は、縦断面図
【符号の説明】
▲１▼スプーン部  ▲２▼波形取手部
【図１】
0003143230.tif 000003
【図２】
0003143230.tif 000004
【手続補正書】
【提出日】平成20年4月10日(2008.4.10)
【手続補正１】
【補正対象書類名】実用新案登録請求の範囲
【補正対象項目名】全文
【補正方法】変更
【補正の内容】
【実用新案登録請求の範囲】
【請求項１】
飲食用スプーンにおいて、握る部分の取手部をスプーン部の材質と違う素材を用いて波形とし、取手部は側面視直線状をなす直面部として形成したことを特徴とする、波形取手の飲食用スプーン。
【手続補正２】
【補正対象書類名】図面
【補正対象項目名】全図
【補正方法】変更
【補正の内容】
【図１】
0003143230.tif 000005
【図２】
0003143230.tif 000006
(57)【要約】【課題】  光と熱が液晶層を透過する状態において、セルロース系フィルム旋光分散によって、２色性の色が出来、レンズ上部分に磁石板を取り付けることによって、可視光・室内温度でも、レンズ上部分の変色ができる旋光分散光学積層体を提供する。【解決手段】  ネマチック液晶層とセルロース系フィルムと磁石板を有し、光と熱が液晶層を透過する状態において、液晶分子が等方相になり、旋光性が失われても、光がセロハン旋光分散し偏光子を通り抜け、２色性の色ができ、また可視光・室内温度でも、レンズ上部分に磁石板を貼ることで透明電極に対して、液晶分子が磁気異方性になることによって旋光性が失われ、偏光面が回転しないことになり、光が偏光子を通り抜けられず変色させることにより、２色性の色調に優れた、旋光分散・光学積層体を得ることができた。【選択図】図４
0003143288.tif 000002
【実用新案登録請求の範囲】
【請求項１】
ネマチック液晶層とセルロース系フイルムを貼り合わせることにより、紫外線または赤外線、熱線を受光した際に、受光した光が特定の波長帯域において変色する旋光分散・光学積層体。
【請求項２】
車のガラス、サングラス、建物などに使用された請求項１に記載の旋光分散・光学積層体。
【考案の詳細な説明】
【技術分野】
【０００１】
本考案は、紫外線および赤外線、熱の受光によって特定の波長帯域において変色し、さらに磁気によるファラデー効果を利用するため、磁石板を例えば、サングラス用レンズ上部分に取り付けた多色性光学積層体に関するものである。
【背景技術】
【０００２】
従来、フォトクロミックス、サングラスレンズには、紫外線・赤外線を受光することによって、各種の色に変色するリアクトライト方式のものが知られている。
【０００３】
しかしながら、これらの従来品は、室内温度または可視光で変色することができず、装飾性については考慮されていなかった。
【０００４】
従来品は、可視光、室内温度で変色ができず、二色性のものは考案されていなかった。又特許文献１に記載されている光学積層体では、電圧の調整によって、多色性を有するものの、雨、海水面の近くなど水中に落とすと使用できない問題があった。
【特許文献１】特開２００１−１８０２００
【非特許文献１】水田  進著「液晶のしくみ」ナツメ社  ２００２年
【考案の開示】
【考案が解決しようとする課題】
【０００５】
考案しようとする問題点は、可視光、室内温度で変色できず、色を多色化することができない点である。
【課題を解決するための手段】
【０００６】
本考案は、磁石板をレンズ上部分に取り付け、レンズ上部分と下部分とが異なる変色を可能とするため、レンズの内側上部に磁気板を取り付け、多色的に変色するセルロース系フイルムを貼り合わせたことを特徴とする。
【０００７】
更に詳しくは、ネマチック液晶層とセルロース系フイルムを組み合わせ、また貼る枚数にによって、二色性の色調を多様化することができる点である。非特許文献１の６１頁に記載されているごとく、液晶分子が動作温度以上になったときに液晶分子は等方相になり、セルロース系フイルム旋光分散により２色性が発現するが、本考案は更に４色まで可能にした。
【考案を実施するための最良の形態】
【０００８】
ネマチック液晶層に１枚から４枚セルロース系フイルムを組み合わせて貼り、磁石板をレンズ上部に取り付けることによって光学系、構成部分の厚みを損なわずに実現した。
【実施例１】
【０００９】
図１は、従来のサングラス断面図である。図２は、本考案をサングラスに応用した場合の液晶偏光板の模型図を示したもので、また図中の５は、ネマチック液晶層で等方相である。また６は、セルロース系フイルムを示している。
【００１０】
図２は光が液晶層を透過する状態において、１枚のセルロース系フイルムを用いて旋光により青色に変色することを示している。
【００１１】
図３は、セルロース系フイルムの回転による旋光分散例を示している。
（イ）左まわり約１５度回転の場合（ロ）回転なし（ハ）右まわり約１５度回転の場合においてことにより（イ）の場合、色がうすい（ロ）の場合、色が濃い（ハ）の場合、色がうすいと言ったように、色の濃さを調整することができる。
図４は、セルロース系フイルムの枚数によって、旋光性が異なることを示している。すなわち、１枚で青色、２枚で茶色、３枚で緑、４枚で赤の４色の発現が可能になる。さらに色調を多様化することができる。
図５は、レンズ上部分に磁石板を貼ることによって、ファラデー効果により液晶分子の磁気異方性が発現して、レンス上部分の変色が可能になる。
【産業上の利用可能性】
【００１２】
本考案は、建物の外側の窓ガラス、サンルーフ、車のフロントガラスなど、直視が不可能な用途にも適用できる。すなわち、調光、偏光性によって、光線を弱め、視認性を高める効果も得られる。
【図面の簡単な説明】
【００１３】
【図１】従来のサングラスの組成を示している。
【図２】本考案によるサングラスの組成を示している。
【図３】セルロース系フイルムの旋光例
【図４】セルロース系フイルムによる旋光組み合わせを示している。
【図５】本考案によるサングラスの使用状態図を示している。
【符号の説明】
【００１４】
１    直線偏光
２    ガラス
３    透明電極
４    配向模
５    ネマチック液晶分子
６    セルロース系フイルム（セロハン）
７    磁石板
８    調光層
【図１】
0003143288.tif 000003
【図２】
0003143288.tif 000004
【図３】
0003143288.tif 000005
【図４】
0003143288.tif 000006
【図５】
0003143288.tif 000007
(57)【要約】【課題】  カップ部下部に設けたワイヤーとボディ部に設けられコイルボーンの間に肌が挟まれない女性用衣料を提供する。【解決手段】  各カップ部２の下縁線に沿って取り付けられたワイヤー４と、ワイヤー４の下方近傍からほぼ下方に向かって伸びる、弾性を有するコイルボーン５の間に、板状ボーン９を設ける。  板状ボーン９は、その上端部がワイヤー４とコイルボーン５の上端部の間に位置するように取り付けられる。【選択図】図３
0003143281.tif 000002
【実用新案登録請求の範囲】
【請求項１】
左右一対のカップ部と、前記各カップ部の下縁線に沿って取り付けられたワイヤーと、
前記ワイヤーの下方近傍からほぼ下方に向かって伸びる、弾性を有するコイルボーンと、
前記ワイヤーの下方近傍からほぼ下方に向かって伸び、前記コイルボーンより肌側で、且つ、その上端部が前記コイルボーンの上端部より上方に位置するように取り付けられた板状のボーンと、
からなる女性用衣料。
【考案の詳細な説明】
【技術分野】
【０００１】  本考案は、ボーンを取り付けた女性用衣料に関する。
【背景技術】
【０００２】  ロングブラジャーやボディスーツでは、カップ部の下方にコイルボーンが取り付けられたものがある。【０００３】
【特許文献１】特許第３９６７５４１号
【特許文献２】実公平４−４４５６４
【考案の開示】
【考案が解決しようとする課題】
【０００４】  カップ部を有する女性用衣料は、着用により生地が周方向に引かれたり、着衣者の動作によって、ワイヤーとコイルボーンの距離が広がり、元の位置に戻った際、カップ部下部のワイヤーとコイルボーン上端の間に肌が挟まることがあった。それを防ぐため、コイルボーンの先端にキャップをかぶせていたものもあるが、キャップ付きのコイルボーンに比ベコスト高であった。また、着用や洗濯による磨耗で、キャップが剥離する危険性があった。
【課題を解決するための手段】
【０００５】  本考案は、左右一対のカップ部の下縁線に沿って取り付けられたワイヤーと、前記ワイヤーの下方近傍からほぼ下方に向かって伸びる、弾性を有するコイルボーンと共に、前記ワイヤーの下方近傍からほぼ下方に向かって伸び、前記コイルボーンより肌側で、且つ、その上端部が前記コイルボーンの上端部より上方に位置するように取り付けられた板状のボーンを取り付ける。
【考案の効果】
【０００６】  本考案の衣料では、カップ部の下縁線に沿って取り付けられたワイヤーと、コイルボーンの間に、板状のボーンを取り付けたので、ワイヤーとコイルボーンの間に肌が挟まることを防ぐことができる。また、従来の構成に比べて簡素な構成で、コストを削減できる。
【考案を実施するための最良の形態】
【０００７】  図１は、本考案にかかるロングブラジャーを示したものである。図２は、図１をＡ−Ａ線で切断し、矢印方向から見た簡略図である。図３は、図２の要部Ｍを拡大した図である。【０００８】  １は、カップ部２と胴部３からなるロングブラジャーである。カップ部２と胴部３は、縫製ライン６１、６２で縫い付けられている。４は、カップ部２の下縁線に沿って取り付けられた、ほぼ円弧状をしたワイヤーであり、多くの場合、剛性を有する金属製である。５は、螺旋状に形成された、弾性を有する金属製のコイルボーンであり、ワイヤー４の下方近傍から胴部３の最下部付近まで至っている。チューブ６の外側部（図３中、左側）は、胴部３の外側布３ａに、内側部（図３中、右側）は、胴部３の内側布３ｂに、それぞれ縫製ライン６２で縫い付けられる。また、カップ部２の上端には、適宜、ストラップ７を取り付けてもよい。【０００９】  図３において、ワイヤー４は、ワイヤーループ８内に挿入される。ワイヤーループ８は、カップ部２に縫製ライン６１、６２で縫い付けられている。さらに、ワイヤー４の挿入後は、ワイヤーループ８から飛び出さないように、ワイヤーループ８の両端（不図示）を縫い止めしている。なお、ワイヤーループ８は、図３では断面が楕円形状となっているが、図中、一部を省略している。【００１０】  本実施例では、カップ部２は、レース２ａ１と、カップ布２ａ２からなる。【００１１】  コイルボーン５は、チューブ６内に挿入されている。チューブ６は、胴部３の外側布３ａと内側布３ｂに縫製ライン６２で縫い付けられている。前述のように、コイルボーン５は、弾性を有する螺旋形状の金属であり、着衣者の動きに合わせて弾性変形し、チューブ６内で屈曲する。コイルボーン６に使われる金属としては、鉄、形状記憶合金等が好適である。【００１２】  本実施例では、胴部の外側布３ａは、レース３ａ１とライニング３ａ２からなる。内側布３ｂは、外側布３ａをカップ部２の下部近傍で折り返したものであり、カップ部２の下端部近傍にて裁断されている。従って、外側布３ａのライニング３ａ２が着衣者の肌に当たる。【００１３】  コイルボーン５の上端部とワイヤー４の間には、板状ボーン９が取り付けられている。板状ボーン９は、上下方向（図３中、上下方向）に長く、胴部３に縫い付け可能な厚さ（図３中、左右方向）となっている。板状ボーン９は、一般にプラスチックからなり、チューブ６に縫製ライン６２で縫い付けられている。【００１４】  ロングブラジャー１の着衣者の動作に追従して、コイルボーン５が屈曲することにより、コイルボーン５の上端部とワイヤー４の距離が広がり、その後、広がった距離が動作前の状態に戻ることがある。本考案では、コイルボーン５の上端部とワイヤー４の間に板状ボーン９を取り付けたので、ワイヤー４とコイルボーン５の間に肌が挟まることがない。【００１５】  本考案は、上記の実施例に限られるものではない。同じ作用、効果を奏するものであれば、他の実施例にも適用される。例えば、本実施例では、胴部３がカップ部２より前側（図３中、左側）に位置して、縫製により固定されているが、その位置関係が逆になってもよい。【００１６】  なお、本実施の形態ではロングブラジ���ーについて記載したが、本考案はロングブラジャーに限られるものではなく、ボディスーツ等であっても本考案は実施可能である。
【図面の簡単な説明】
【００１７】
【図１】本考案のロングブラジャーの一実施例を示す正面図である。
【図２】Ａ−Ａ線で切った簡略断面図である。
【図３】図２の要部Ｍを拡大した図面である。
【符号の説明】
【００１８】１  ロングブラジャー
２  カップ部
３  胴部
４  ワイヤー
５  コイルボーン
６  チューブ
７  ストラップ
８  ワイヤーループ
９  板状ボーン
【図１】
0003143281.tif 000003
【図２】
0003143281.tif 000004
【図３】
0003143281.tif 000005